(57)【要約】【課題】折戸に取付けるサブロック装置であって、防犯機能に優れると共に折戸の外観が損なわれることがないようにした折戸のサブロック装置の提供。【解決手段】下桟１０の内表面側には水平方向にスライドする操作部１１を設け、又、下桟１０の空間内には上下動するデッドボルト１２を設けると共に傾斜溝１９を形成している。上記操作部１１の後方へピン１８を延ばして上記傾斜溝１９に嵌め、そして傾斜溝１９の上端にはピン１８が係止する為の係止面２０を形成し、デッドボルト１２が降下することで下レール１３のガイド溝１４に嵌入するサブロック装置である。【選択図】        図２
2005009217.tif 000002
【特許請求の範囲】
【請求項１】
折戸に取付けるサブロック装置において、下桟の内表面側には水平方向にスライドする操作部を設け、又、下桟の空間内には上下動するデッドボルトを設けると共に傾斜溝を形成し、上記操作部の後方へピンを延ばして上記傾斜溝に嵌め、そして傾斜溝の上端にはピンが係止する為の係止面を形成し、デッドボルトが降下することで下レールのガイド溝に嵌入することを特徴とする折戸のサブロック装置。
【請求項２】
折戸に取付けるサブロック装置において、上桟の内表面側には水平方向にスライドする操作部を設け、又、上桟の空間内には上下動するデッドボルトを設けると共に傾斜溝を形成し、上記操作部の後方へピンを延ばして上記傾斜溝に嵌め、そして傾斜溝の下端にはピンが係止する為の係止面を形成し、デッドボルトが降下することで上レールのガイド溝に嵌入することを特徴とする折戸のサブロック装置。
【請求項３】
下桟又は上桟の空間に配置した取着具と下桟又は上桟の内表面側に配置したガイドを互いにネジ止めにて連結し、上記デッドボルトは取着具に上下動可能に取付けられ、操作部はガイドに形成したガイド片に沿ってスライド可能に取付けた請求項１、又は請求項２記載の折戸のサブロック装置。
【請求項４】
ガイドに形成した空間には、左右端へ移動したピンが係止する係止片を設けた請求項３記載の折戸のサブロック装置。
【発明の詳細な説明】
【０００１】
【発明の属する技術分野】
本発明は折戸に取付けられて、意匠を阻害することなく、又防犯機能に優れたサブロック装置に関するものである。
【０００２】
【従来の技術】
図７は一般的な折戸を示しているが、折戸は２枚の扉（イ）、（ロ）が継手（ハ）にて折畳み出来るように連結されている。折戸の一方側扉（イ）の側端には吊車（ニ）及びスライダー（ホ）が取付けられ、他方側扉（ロ）の側端にも吊車（ニ）及びスライダー（ホ）が取着されている。そして、一方側扉（イ）の側端は枠体に止着され、他方の扉（ロ）の側端に取付けられている吊車（ニ）は上レールに沿って走行することで該折戸は折畳み及び伸長することで開閉することが出来る。ただし、吊車（ニ）を用いることなく、上端にスライダーを備えることも可能である。
【０００３】
ところで、上記扉（イ）、（ロ）を連結する継手（ハ）にはハンドル（ヘ）が備わっていて、該ハンドル（ヘ）を握って開閉操作することが出来、該折戸が伸長して間口を閉じると同時に、開かないようにロックすることが出来る機構と成っている。
同図の（ｂ）にはハンドル（ヘ）の取付け部（ト）を示しているが、該取付け部（ト）にはロックツマミ（チ）を設けている。
【０００４】
該ロックツマミ（チ）を回転するならば、上記ハンドル（ヘ）の操作が出来ないような構造と成っている。すなわち、ハンドル操作にて上記継手（ハ）の上下端からロック棒が突出して上レール及び下レールに形成している穴に嵌り、該折戸を折畳むことが出来ないように固定される。そして、該ロックツマミ（チ）を回転することでハンドル操作が規制され、ロック棒は穴から外れないように成る。しかし、上記ハンドル（ヘ）の近くにロックツマミ（チ）を備えることで防犯上の効果は低く、その箇所が知られて直ちに解除されてしまう場合が多い。
【０００５】
一方、図８は従来の補助ロック装置を示し、上レール（リ）に設けている受け（ヌ）にサブロック（ル）を施錠した場合である。同じ補助ロック装置を下レール側に備えることも出来る。同図に示すように、該サブロック（ル）は折戸表面の上下端部に取付けられて内観が損なわれる。そして、折戸サイズによっては、取付けられる受け部品の位置が変わり、その為に取付け作業が面倒である。
【０００６】
【発明が解決しようとする課題】
このように、従来の折戸には防犯の為にロック装置が備わっている。しかし、該ロック装置には上記のごとき問題がある。本発明が解決しようとする課題はこの問題点であり、防犯機能に優れると共に折戸の外観を損なうことのない折戸のサブロック装置を提供する。
【０００７】
【課題を解決する為の手段】
本発明に係る折戸のサブロック装置は扉を構成する枠体の下桟に取付けられ、該下桟から下方へ突出するデッドボルトを備えている。該デッドボルトは上下動することが出来、下方へ突出することで下レールのガイド溝へ嵌入することが出来、その結果、折戸を折畳んで開くことが出来なく成る。そして、上記下桟には操作部を設け、該操作部を水平方向へスライドさせることでデッドボルトは上下動することが出来る。
【０００８】
上記デッドボルトには傾斜したガイド溝が形成され、一方の操作部から延びるピンはガイド溝に遊嵌する。ここで、サブロック装置は下桟に取付けられる場合に限らず、上桟に備えることも可能である。以下、本発明に係る実施例を図面に基づいて詳細に説明する。
【０００９】
【実施例】
図１は折戸装置の内観を示す実施例であり、２基の折戸１ａ，１ｂが対を成して装着され、各折戸１ａ，１ｂは２枚の扉２ａ，２ｂから成り、扉２ａ，２ｂは継手３によって折畳み出来るように連結され、吊元側の扉２ａには吊元框６が継手を介して連結し、戸先側扉２ｂには戸先框７が継手を介して取付けられている。そして、折戸１ａ，１ｂの吊元框６には吊車４が上端に取着され、下端にはスライダー５が取付けられ、又、戸先框７にも同じく吊車４が上端に取着され、下端にはスライダー５が取付けられている。
【００１０】
そこで、折戸１ａ，１ｂは両吊車４，４にて上レールに吊設され、スライダー５，５は下レールのガイド溝に遊嵌し、該折戸１ａ，１ｂの折畳み操作に伴って吊車４は上レールを移動し、スライダー５は下レールのガイド溝をスライドすることに成る。そして、折戸１ａには上下レールとの隙間から風雨が侵入することを防止するシール材を作動するツマミ８が継手３に取付けられている。このような基本的な構造は従来の折戸と共通している。
【００１１】
本発明の折戸にはロック装置を作動するハンドルの他にサブロック装置９，９が扉２ａ，２ｂの下桟に取着されている。サブロック装置９，９は扉２ａ，２ｂの下桟１０に設けられ、操作部を水平方向にスライドすることでデッドボルトが降下して下レールのガイド溝に嵌入して折戸が開かないようにロックされる。該サブロック装置９は上記継手３に取付けられるハンドルから離れている為に分かり難く、防犯効果が高い。又、扉表面にはスライドする操作部が表面化するだけとなり、折戸１の内観が損なわれることもない。
【００１２】
図２（ａ）、（ｂ）は上記サブロック装置９を示す具体例であり、（ａ）はロック状態、（ｂ）は解除状態を夫々表わしている。同図の１１は操作部、１２はデッドボルトを表わし、操作部１１をスライドさせることでデッドボルト１２が降下し、下レール１３のガイド溝１４に嵌入する。該デッドボルト１２がガイド溝１４に嵌ることで折戸１が折畳みされることはない。
【００１３】
上記デッドボルト１２は下桟１０に形成している空間１５に設けられている取着具１６に取付けられて上下方向に移動することが出来る。そして下桟１０の内側表面にはガイド１７が設けられ、ガイド１７はネジを介して上記取着具１６と連結固定されている。そして、該ガイド１７には操作部１１が組み合わされ、操作部１１はガイド１７に沿って水平方向にスライドすることが出来る。
【００１４】
ところで、操作部１１には背後にピン１８が延び、該ピン１８はガイド１７に形成した開口を貫通してデッドボルト１２に形成している傾斜溝１９に嵌入している。従って、操作部１１がガイド１７に沿ってスライドするならば、傾斜溝１９を介してデッドボルト１２は上下動することが出来る。
【００１５】
図３はデッドボルト１２を示す具体例である。該デッドボルト１２は概略四角形のブロック体を構成し、正面には傾斜溝１９が形成されると共に、傾斜溝１９の上端には水平な係止面２０を形成している。又、表面には２本のガイド溝２１ａ，２１ｂが上下方向に延びて形成され、そして下端には背後へ屈曲して突出するボス２１を有している。さらに、表面の両側には小さな縁２５ａ，２５ｂが、表面側及び側面側に僅かに突出して形成されている。
【００１６】
図４は取着具１６の具体例である。該取着具１６は上下方向に貫通した空間２２を有し、該空間２２の両側には２本のボス２３ａ，２３ｂが突出し、ボス２３ａ，２３ｂにはネジ穴２４ａ，２４ｂが設けられている。この空間２２には上記デッドボルト１２が嵌入し、ガイド溝２１ａ，２１ｂにはボス２３ａ，２３ｂが嵌り、縁２５ａ，２５ｂは空間２２のコーナー２６ａ，２６ｂに接してガイドされる。
【００１７】
図５はガイド１７を示す具体例である。ガイド１７の背後には２本のボス２７ａ，２７ｂが突出し、該ボス２７ａ，２７ｂには穴２８ａ，２８ｂが貫通している。又ガイド１７の中央部にはガイド片２９，２９が上下面から僅かに突出して形成されている。上記下桟１０には空間１５へ通じる開口を貫通し、この開口に２本のボス２７ａ，２７ｂを嵌めると共に、ボス穴２８ａ，２８ｂにネジを挿通して空間１５内に収容した取着具１６のネジ穴２４ａ，２４ｂに螺合する。従って、下桟１０を間にして取着具１６とガイド１７は互いに連結・固定される。
【００１８】
そして、ガイド１７の中央部には貫通した空間３０を設け、該空間３０には係止片３１ａ，３１ｂを有している。そして該空間３０には図６に示す操作部１１のピン１８が挿入され、該ピン１８は下桟１０の開口を貫通してデッドボルト１２の傾斜溝１９に嵌ることが出来る。取着具１６にもピン１８が貫通すると共に、水平方向に移動できる大きさの開口３２を設けている。
【００１９】
操作部１１はガイド１７を抱き込み、ツメ３３，３３はガイド片２９，２９に係合して組み合わされ、しかも、ガイド片２９，２９に沿って水平方向へスライドすることが出来る。ピン１８は空間３０の範囲内で移動し、左右端では係止片３１ａ，３１ｂにピン１８が係止して位置決めされる。
【００２０】
そこで、操作部１１が右側へスライドするならば、ピン１８も同じく右方向へ移動し、傾斜溝１９に嵌っているピン１８はデッドボルト１２を下方へ降下させる。すなわち、図２（ａ）に示すロック状態と成る。傾斜溝１９の上端には水平な係止面２０が形成され、この係止面２０にピン１８が係合する。その為に、図２（ａ）のロック状態でデッドボルト１２を押し上げようとしても、係止面２０にピン１８が当ることで、該デッドボルト１２が持上げられることはない。
【００２１】
逆に、操作部１１をガイド１７に沿って左側へスライドさせるならば、デッドボルト１２は持上げられて図２（ｂ）のように解除される。以上述べたように、本発明のサブロック装置は、操作部の水平スライドによってデッドボルトを上下動して折戸をロック及び解除するようにしたものであり、次のような効果を得ることが出来る。
【００２２】
【発明の効果】
本発明のサブロック装置はデッドボルトを押下げたり、押上げることで下レール又は上レールのガイド溝に嵌り、折戸が折畳まれて開くことはない。折戸装置には下レール及び上レールが備わっている為、このレールのガイド溝にデッドボルトは嵌ることが出来、デッドボルトを拘束する別の受け部材を特別に設ける必要がない。従って、本発明のサブロック装置は、あらゆる折戸装置に簡単に取付けすることが可能と成る。すなわち、汎用性に優れたサブロック装置である。
【００２３】
そして、デッドボルトが上下動するように、操作部は水平スライドさせることが出来、扉の下桟又は上桟に取付けることが出来る。一方、デッドボルトの傾斜溝端にはピンが係止する水平な係止面を形成している為に、該デッドボルトを下から押上げたり、上から押下げることが出来ず、防犯効果は高い。さらに操作部は開口の左右端に形成した係止片にピンが係止して位置決めされ、解除状態にあるデッドボルトが独りでに動いてロックされることはない。
【図面の簡単な説明】
【図１】本発明のサブロック装置を備えた折戸装置。
【図２】（ａ）サブロック装置のロック状態、（ｂ）サブロック装置の解除状態。
【図３】デッドボルトの具体例。
【図４】デッドボルトを上下動させる取着具の具体例。
【図５】操作部がスライドするガイドの具体例。
【図６】操作部の具体例。
【図７】従来の折戸及びロック装置。
【図８】従来の折戸のロック装置。
【符号の説明】
１  折戸
２  扉
３  継手
４  吊車
５  スライダー
８  ツマミ
９  サブロック装置
１０  下桟
１１  操作部
１２  デットボルト
１３  下レール
１４  ガイド溝
１５  空間
１６  取着具
１７  ガイド
１８  ピン
１９  傾斜溝
２０  係止面
【図１】
2005009217.tif 000003
【図２】
2005009217.tif 000004
【図３】
2005009217.tif 000005
【図４】
2005009217.tif 000006
【図５】
2005009217.tif 000007
【図６】
2005009217.tif 000008
【図７】
2005009217.tif 000009
【図８】
2005009217.tif 000010